(57)【要約】  入力ループ線（５）が、誘電体層（２）の厚み方向から見て出力ループ線（９）のループ内側または外側に対応する領域に配置されている。
2019053779.tif 000002
【特許請求の範囲】
【請求項１】
一方の面に、入力線、入力ループ線、コンデンサ接続線および出力線を有し、前記入力線、前記入力ループ線および前記コンデンサ接続線の順で直列に接続され、他方の面に、前記コンデンサ接続線と前記出力線との間に接続された出力ループ線および当該出力ループ線を囲むグラウンド導体を有した誘電体層と、
一方の端部が前記コンデンサ接続線に接続され、他方の端部が前記グラウンド導体に接続されたコンデンサとを備え、
前記入力線から前記コンデンサ接続線に至るまでの前記入力ループ線の巻方向と、前記コンデンサ接続線から前記出力線に至るまでの前記出力ループ線の巻方向とが同一方向であり、
前記入力ループ線が、前記誘電体層の厚み方向から見て前記出力ループ線のループ内側または外側に対応する領域に配置されていること
を特徴とするノイズフィルタ回路。
【請求項２】
前記入力ループ線および前記出力ループ線は、一部が開放された矩形状のループ形状を有すること
を特徴とする請求項１記載のノイズフィルタ回路。
【請求項３】
前記入力ループ線および前記出力ループ線は、一部が開放された円形状のループ形状を有すること
を特徴とする請求項１記載のノイズフィルタ回路。
【請求項４】
一方の面に、入力線、入力ループ線、コンデンサ接続線および出力線を有し、前記入力線、前記入力ループ線および前記コンデンサ接続線の順で直列に接続され、他方の面に、前記コンデンサ接続線と前記出力線との間に接続された出力ループ線および当該出力ループ線を囲むグラウンド導体を有した誘電体層と、
一方の端部が前記コンデンサ接続線に接続され、他方の端部が前記グラウンド導体に接続されたコンデンサとを備え、
前記入力線から前記コンデンサ接続線に至るまでの前記入力ループ線の巻方向と、前記コンデンサ接続線から前記出力線に至るまでの前記出力ループ線の巻方向とが同一方向であり、
前記入力ループ線および前記出力ループ線は、一部が開放された長方形のループ形状を有しており、前記誘電体層の厚み方向から見て、前記入力ループ線のループ形状の長辺と前記出力ループ線のループ形状の長辺とが直交するように配置されていること
を特徴とするノイズフィルタ回路。
【請求項５】
一方の面に、正極側入力線、正極側入力ループ線、正極側コンデンサ接続線、正極側出力線、負極側入力線、負極側入力ループ線、負極側コンデンサ接続線および負極側出力線を有し、前記正極側入力線、前記正極側入力ループ線および前記正極側コンデンサ接続線の順で直列に接続され、前記負極側入力線、前記負極側入力ループ線および前記負極側コンデンサ接続線の順で直列に接続されており、他方の面に、前記正極側コンデンサ接続線と前記正極側出力線との間に接続された正極側出力ループ線と前記負極側コンデンサ接続線と前記負極側出力線との間に接続された負極側出力ループ線とを有した誘電体層と、
一方の端部が前記正極側コンデンサ接続線に接続され、他方の端部が前記負極側コンデンサ接続線に接続されたコンデンサとを備え、
前記正極側入力線から前記正極側コンデンサ接続線に至るまでの前記正極側入力ループ線の巻方向と、前記正極側コンデンサ接続線から前記正極側出力線に至るまでの前記正極側出力ループ線の巻方向とが同一方向であり、
前記負極側入力線から前記負極側コンデンサ接続線に至るまでの前記負極側入力ループ線の巻方向と、前記負極側コンデンサ接続線から前記負極側出力線に至るまでの前記負極側出力ループ線の巻方向とが同一方向であり、
前記正極側入力ループ線が、前記誘電体層の厚み方向から見て前記正極側出力ループ線のループ内側または外側に対応する領域に配置され、
前記負極側入力ループ線が、前記誘電体層の厚み方向から見て前記負極側出力ループ線のループ内側または外側に対応する位置に配置されていること
を特徴とするノイズフィルタ回路。
【請求項６】
前記正極側入力ループ線と前記正極側出力ループ線および前記負極側入力ループ線と前記負極側出力ループ線のそれぞれは、一部が開放された矩形状のループ形状を有すること
を特徴とする請求項５記載のノイズフィルタ回路。
【請求項７】
前記正極側入力ループ線と前記正極側出力ループ線および前記負極側入力ループ線と前記負極側出力ループ線のそれぞれは、一部が開放された円形状のループ形状を有すること
を特徴とする請求項５記載のノイズフィルタ回路。
【請求項８】
一方の面に、正極側入力線、正極側入力ループ線、正極側コンデンサ接続線、正極側出力線、負極側入力線、負極側入力ループ線、負極側コンデンサ接続線および負極側出力線を有し、前記正極側入力線、前記正極側入力ループ線および前記正極側コンデンサ接続線の順で直列に接続され、前記負極側入力線、前記負極側入力ループ線および前記負極側コンデンサ接続線の順で直列に接続されており、他方の面に、前記正極側コンデンサ接続線と前記正極側出力線との間に接続された正極側出力ループ線と前記負極側コンデンサ接続線と前記負極側出力線との間に接続された負極側出力ループ線とを有した誘電体層と、
一方の端部が前記正極側コンデンサ接続線に接続され、他方の端部が前記負極側コンデンサ接続線に接続されたコンデンサとを備え、
前記正極側入力線から前記正極側コンデンサ接続線に至るまでの前記正極側入力ループ線の巻方向と、前記正極側コンデンサ接続線から前記正極側出力線に至るまでの前記正極側出力ループ線の巻方向とが同一方向であり、
前記負極側入力線から前記負極側コンデンサ接続線に至るまでの前記負極側入力ループ線の巻方向と、前記負極側コンデンサ接続線から前記負極側出力線に至るまでの前記負極側出力ループ線の巻方向とが同一方向であり、
前記正極側入力ループ線および前記正極側出力ループ線は、一部が開放された長方形のループ形状を有しており、前記誘電体層の厚み方向から見て、前記正極側入力ループ線のループ形状の長辺と前記正極側出力ループ線のループ形状の長辺とが直交するように配置され、
前記負極側入力ループ線および前記負極側出力ループ線は、一部が開放された長方形のループ形状を有しており、前記誘電体層の厚み方向から見て、前記負極側入力ループ線のループ形状の長辺と前記負極側出力ループ線のループ形状の長辺とが直交するように配置されていること
を特徴とするノイズフィルタ回路。
【発明の詳細な説明】
【技術分野】
【０００１】
この発明は、線間あるいは線対地間を接続するコンデンサを用いたノイズフィルタ回路に係り、特に、等価直列インダクタンス（以下、ＥＳＬと記載する）によるフィルタ性能の劣化を防止するＥＳＬキャンセル構造を有したノイズフィルタ回路に関する。
【背景技術】
【０００２】
例えば、特許文献１に記載される回路モジュールは、２つのループ状の導体パターンを誘電体層の厚み方向に対向させたＥＳＬキャンセル構造を有している。
２つのループ状の導体パターンは、導電性ビアホールによって接続されて磁気結合することで、相互インダクタンスを発生する。以下、磁気結合した２つのループ状の導体パターンを、結合ループと適宜記載する。
上記ＥＳＬキャンセル構造において、ＥＳＬは、結合ループ間に発生した相互インダクタンスによってキャンセルされる。
【先行技術文献】
【特許文献】
【０００３】
【特許文献１】特開２０１３−７７６６３号公報
【発明の概要】
【発明が解決しようとする課題】
【０００４】
前述した相互インダクタンスの大きさは、２つのループ状の導体パターンのうち、一方の導体パターンを流れる電流によって発生した磁束が、他方の導体パターンを鎖交する量に応じて決定される。
特許文献１に記載されたＥＳＬキャンセル構造では、２つのループ状の導体パターンの間に層間ずれが発生すると、誘電体層の厚み方向から見て２つの導体パターンが重なった領域の面積が減少して相互インダクタンスが大きく変動する。
このため、特許文献１に記載されたＥＳＬキャンセル構造を設けたノイズフィルタ回路では、製造誤差などの理由によって結合ループに層間ずれが発生すると、結合ループ間の相互インダクタンスが大きく変動してＥＳＬを十分にキャンセルできなくなる。
この場合、残留したＥＳＬによってフィルタ性能が劣化するという課題があった。【０００５】
この発明は上記課題を解決するもので、結合ループの層間ずれに起因した相互インダクタンスの変動を抑制して、安定したフィルタ性能を実現することができるノイズフィルタ回路を得ることを目的とする。
【課題を解決するための手段】
【０００６】
この発明に係るノイズフィルタ回路は、誘電体層およびコンデンサを備える。
誘電体層は、一方の面に、入力線、入力ループ線、コンデンサ接続線および出力線を有し、入力線、入力ループ線およびコンデンサ接続線の順で直列に接続されている。
誘電体層は、他方の面に、コンデンサ接続線と出力線との間に接続された出力ループ線と当該出力ループ線を囲むグラウンド導体とを有する。
コンデンサは、一方の端部がコンデンサ接続線に接続され、他方の端部がグラウンド導体に接続されている。
この構成において、入力線からコンデンサ接続線に至るまでの入力ループ線の巻方向とコンデンサ接続線から出力線に至るまでの出力ループ線の巻方向とが同一方向である。
入力ループ線が、誘電体層の厚み方向から見て出力ループ線のループ内側または外側に対応する領域に配置されている。
【発明の効果】
【０００７】
この発明によれば、入力ループ線を、誘電体層の厚み方向から見て出力ループ線のループ内側または外側に対応する領域に配置する。
このように構成することで、入力ループ線と出力ループ線との間に層間ずれが発生しても、入力ループ線と出力ループ線との間の相互インダクタンスの変動が抑制されて、安定したフィルタ性能を実現することができる。
【図面の簡単な説明】
【０００８】
【図１】この発明の実施の形態１に係るノイズフィルタ回路を示す平面図である。
【図２】実施の形態１に係るノイズフィルタ回路の裏面側の導体パターンを示す平面透視図である。
【図３】実施の形態１に係るノイズフィルタ回路の導体パターンの位置関係を示す平面透視図である。
【図４】実施の形態１に係るノイズフィルタ回路を示す等価回路図である。
【図５】等価回路変換を施した実施の形態１に係るノイズフィルタ回路を示す等価回路図である。
【図６】従来のＥＳＬキャンセル構造の結合ループを示す部分斜視図である。
【図７】従来のＥＳＬキャンセル構造における、入力ループ線と出力ループ線との間の層間ずれの例を示す部分平面図である。
【図８】従来のＥＳＬキャンセル構造における、入力ループ線と出力ループ線との間の層間ずれ量と相互インダクタンスの計算結果との関係を示すグラフである。
【図９】実施の形態１に係るノイズフィルタ回路における結合ループを示す部分斜視図である。
【図１０】実施の形態１に係るノイズフィルタ回路における結合ループを示す部分平面図である。
【図１１】実施の形態１に係るノイズフィルタ回路における、入力ループ線と出力ループ線との間の層間ずれの例を示す部分平面図である。
【図１２】実施の形態１に係るノイズフィルタ回路における、入力ループ線と出力ループ線との間の層間ずれ量と相互インダクタンスの計算結果との関係を示すグラフである。
【図１３】この発明の実施の形態２に係るノイズフィルタ回路を示す平面図である。
【図１４】実施の形態２に係るノイズフィルタ回路の裏面側の導体パターンを示す平面透視図である。
【図１５】実施の形態２に係るノイズフィルタ回路の導体パターンの位置関係を示す平面透視図である。
【図１６】実施の形態２に係るノイズフィルタ回路における結合ループの例を示す部分斜視図である。
【図１７】実施の形態２に係るノイズフィルタ回路における結合ループの例を示す部分平面図である。
【図１８】実施の形態２に係るノイズフィルタ回路における、入力ループ線と出力ループ線との間の層間ずれの例を示す部分平面図である。
【図１９】実施の形態２に係るノイズフィルタ回路における、入力ループ線と出力ループ線との間の層間ずれ量と相互インダクタンスの計算結果との関係を示すグラフである。
【図２０】この発明の実施の形態３に係るノイズフィルタ回路を示す平面図である。
【図２１】実施の形態３に係るノイズフィルタ回路の裏面側の導体パターンを示す平面透視図である。
【図２２】実施の形態３に係るノイズフィルタ回路の導体パターンの位置関係を示す平面透視図である。
【図２３】実施の形態３に係るノイズフィルタ回路を示す等価回路図である。
【図２４】等価回路変換を施した実施の形態３に係るノイズフィルタ回路を示す等価回路図である。
【図２５】実施の形態３に係るノイズフィルタ回路の変形例を示す平面図である。
【図２６】実施の形態３に係るノイズフィルタ回路の変形例の裏面側の導体パターンを示す平面透視図である。
【図２７】実施の形態３に係るノイズフィルタ回路の変形例の導体パターンの位置関係を示す平面透視図である。
【図２８】この発明の実施の形態４に係るノイズフィルタ回路を示す平面図である。
【図２９】実施の形態４に係るノイズフィルタ回路の裏面側の導体パターンを示す平面透視図である。
【図３０】実施の形態４に係るノイズフィルタ回路の導体パターンの位置関係を示す平面透視図である。
【発明を実施するための形態】
【０００９】
以下、この発明をより詳細に説明するため、この発明を実施するための形態について、添付の図面に従って説明する。
実施の形態１．
図１は、この発明の実施の形態１に係るノイズフィルタ回路１を示す平面図である。図２は、ノイズフィルタ回路１の裏面側の導体パターンを示す平面透視図であり、裏面側の導体パターンに至るまでのノイズフィルタ回路１の構成要素を透明にした様子を示している。図３は、ノイズフィルタ回路１の導体パターンの位置関係を示す平面透視図であり、誘電体層２を透明にした様子を示している。
ノイズフィルタ回路１は、誘電体層２と、誘電体層２の一方の面（以下、おもて面と記載する）と他方の面（以下、裏面と記載する）とに配置された導体パターンとを含む基板を有し、この基板にチップ型のコンデンサ３が実装されている。
【００１０】
誘電体層２のおもて面には、導体パターンによって、入力線４、入力ループ線５、コンデンサ接続線６および出力線７が形成されており、図１に示すように、入力線４、入力ループ線５およびコンデンサ接続線６の順で直列に接続されている。
スルーホール８ａ，８ｂ，８ｃは、誘電体層２の厚み方向に形成されており、誘電体層２のおもて面の導体パターンと、裏面の導体パターンとを電気的に接続している。
誘電体層２の裏面には、図２および図３に示すように、導体パターンによって、出力ループ線９およびグラウンド導体１０が形成されている。
【００１１】
コンデンサ３は、一方の端部がコンデンサ接続線６に接続されており、他方の端部が、スルーホール８ｃによってグラウンド導体１０に電気的に接続されている。
入力線４は、一方の端部が入力端子４ａになっており、他方の端部が入力ループ線５に接続されている。出力線７は、一方の端部が出力端子７ａになっている。
出力ループ線９は、一方の端部がスルーホール８ａによってコンデンサ接続線６に接続されており、他方の端部がスルーホール８ｂによって出力線７の他方の端部に接続されている。すなわち、出力ループ線９は、コンデンサ接続線６と出力線７との間に接続されている。
【００１２】
グラウンド導体１０は、誘電体層２の裏面において出力ループ線９を囲むように設けられた導体のベタパターンである。
ノイズフィルタ回路１において、スルーホール８ａからは、コンデンサ接続線６および出力ループ線９が分岐しており、コンデンサ接続線６、これに接続されたコンデンサ３、およびスルーホール８ｃは、シャント経路を構成している。
【００１３】
このように、ノイズフィルタ回路１は、線路の途中でコンデンサ３が線路とグラウンド導体１０との間にシャント接続された２端子回路である。
線路とグラウンド導体１０との間にシャント接続されたコンデンサ３は、一般に、入力端子４ａと出力端子７ａとの間に流れるノイズ電流に対するフィルタ回路として機能することが知られている。
【００１４】
また、入力ループ線５における、入力線４からコンデンサ接続線６に至るまでの巻方向と、出力ループ線９における、コンデンサ接続線６から出力線７に至るまでの巻方向とは同一方向である。
さらに、入力ループ線５および出力ループ線９のそれぞれは、一部が開放された正方形のループ形状を有しており、入力ループ線５のループ外径は、出力ループ線９のループ内径よりも小さい。
入力ループ線５は、図３に示すように、誘電体層２の厚み方向から見て、誘電体層２のおもて面における、出力ループ線９のループ内側に対応する領域に配置されている。
【００１５】
次に動作について説明する。
図４は、ノイズフィルタ回路１を示す等価回路図である。ノイズフィルタ回路１では、入力ループ線５と出力ループ線９とが磁気結合している。この磁気結合によって発生した相互インダクタンスをＭとし、入力ループ線５と出力ループ線９との間の磁気結合の方向を考慮すると、ノイズフィルタ回路１は、図４に示す等価回路で表すことができる。
【００１６】
図４に示す等価回路においてグラウンド１４とコンデンサ接続点１５との間のシャント経路は、ＥＳＬ１１、等価直列抵抗（以下、ＥＳＲと記載する）１２および容量１３から構成された直列回路によって表される。グラウンド１４は、スルーホール８ｃに相当し、コンデンサ接続点１５は、スルーホール８ａに相当する。ＥＳＬ１１は、インダクタンスＬＥＳＬを有する。
【００１７】
図５は、等価回路変換を施したノイズフィルタ回路１を示す等価回路図である。図５に示す回路は、図４に示した入力ループ線５と出力ループ線９とが磁気結合した部分に等価回路変換を施したものである。
図５において、等価インダクタ１６ａ，１６ｂ，１６ｃは、等価回路変換によって追加された等価インダクタである。等価インダクタ１６ａは、インダクタンスＭを有し、等価インダクタ１６ｂは、インダクタンスＭを有しており、等価インダクタ１６ｃは、インダクタンス−Ｍを有している。
【００１８】
入力ループ線５と出力ループ線９との磁気結合部分に等価回路変換を施した回路では、この磁気結合で発生した相互インダクタンスＭを有した等価インダクタ１６ａ，１６ｂが入力ループ線５と出力ループ線９との間に直列接続されている。さらに、この回路では、負の相互インダクタンス−Ｍを有した等価インダクタ１６ｃがコンデンサ接続点１５から分岐したシャント経路に直列接続されている。これにより、グラウンド１４とコンデンサ接続点１５との間のシャント経路は、ＬＥＳＬ−Ｍのインダクタンスを有する。
【００１９】
ノイズフィルタ回路１では、シャント経路のインダクタンスが０、すなわちＬＥＳＬ＝Ｍとなるように、入力ループ線５と出力ループ線９との磁気結合部分が設計される。
このように磁気結合部分を設計することで、グラウンド１４とコンデンサ接続点１５との間のシャント経路が本来有するインダクタンスＬＥＳＬがキャンセルされてほぼ零にすることができる。この結果、ＥＳＬ１１の影響によるフィルタ性能の劣化を抑制することができる。
【００２０】
次に、層間ずれが発生した場合における、結合ループ間の相互インダクタンスの変動について説明する。
図６は、従来のＥＳＬキャンセル構造における結合ループを示す部分斜視図である。
従来のＥＳＬキャンセル構造における、入力ループ線５’および出力ループ線９’は、図６に示すように、一辺が１０ｍｍの正方形のループ形状を有している。
入力ループ線５’と出力ループ線９’は、それぞれが誘電体層の厚み方向（Ｚ軸方向）に０．８ｍｍ離れた位置に配置された状態で磁気結合している。
【００２１】
入力ループ線５’および出力ループ線９’は、理想的な線素（無損失線路）で構成されている。
入力ループ線５’は、Ｚ＝０．８ｍｍの平面に配置され、出力ループ線９’は、Ｚ＝０の平面に配置されている。
入力ループ線５’と出力ループ線９’との間の相互インダクタンスＭは、入力ループ線５’を流れる電流により発生する磁束のうち、出力ループ線９’のループ面を垂直に貫く磁束の量から算出することができる。
入力ループ線５’と出力ループ線９’とに層間ずれがない場合、相互インダクタンスＭは、１４．７ｎＨであった。
【００２２】
図７は、従来のＥＳＬキャンセル構造における、入力ループ線５’と出力ループ線９’との間の層間ずれを示す部分平面図であり、層間ずれによって、図６に示した入力ループ線５’が、Ｘ軸方向およびＹ軸方向にそれぞれｄだけ動いた場合を示している。
図８は、従来のＥＳＬキャンセル構造における、入力ループ線５’と出力ループ線９’との間の層間ずれ量と相互インダクタンスＭの計算結果との関係を示すグラフである。
相互インダクタンスＭは、層間ずれによって減少する。図７に示したｄを１．０ｍｍとした場合、相互インダクタンスＭは、図８に示すように１１．０ｎＨとなり、層間ずれがない場合の約７５％まで減少する。
【００２３】
図９は、実施の形態１に係るノイズフィルタ回路１における結合ループの例を示す部分斜視図である。図１０は、ノイズフィルタ回路１における結合ループの例を示す部分平面図である。入力ループ線５および出力ループ線９のそれぞれは、理想的な線素（無損失線路）で構成されており、図９に示すように、入力ループ線５は、Ｚ＝０．８ｍｍの平面に配置され、出力ループ線９は、Ｚ＝０の平面に配置されている。
【００２４】
図１０に示すように、入力ループ線５は、一辺が１１．１ｍｍの正方形のループ形状を有し、出力ループ線９は、一辺が１３．３ｍｍの正方形のループ形状を有している。
また、出力ループ線９のループ形状は、誘電体層２の厚み方向（Ｚ軸方向）から見て、入力ループ線５を、Ｘ軸方向の正方向とＹ軸方向の負方向とに１．１ｍｍずつ大きくした形状になっている。
さらに、入力ループ線５の中心と出力ループ線９の中心とのＸＹ座標位置は一致している。すなわち、入力ループ線５は、Ｚ軸方向から見て、誘電体層２のおもて面における、出力ループ線９のループ内側に対応する領域に配置されている。
【００２５】
入力ループ線５と出力ループ線９との間の相互インダクタンスＭは、入力ループ線５を流れる電流により発生した磁束のうち、出力ループ線９のループ面を垂直に貫く磁束の量から算出することができる。
入力ループ線５と出力ループ線９とに層間ずれがない場合、相互インダクタンスＭは、１４．７ｎＨとなる。
【００２６】
図１１は、ノイズフィルタ回路１における、入力ループ線５と出力ループ線９との間の層間ずれを示す部分平面図であり、図１０に示した入力ループ線５が、層間ずれによってＸ軸方向およびＹ軸方向にそれぞれｄだけ動いた場合を示している。
図１２は、ノイズフィルタ回路１における、入力ループ線５と出力ループ線９との間の層間ずれ量と相互インダクタンスＭの計算結果ａとの関係を示すグラフである。
図１２において実線で示す相互インダクタンスＭの計算結果ａは、図１１に示した層間ずれが入力ループ線５に発生したときの計算結果である。
なお、比較のため、図８に示した従来構造における相互インダクタンスＭの計算結果ｂを、破線で示す。
【００２７】
前述したように、図７に示したｄが１．０ｍｍである場合に、従来構造の結合ループにおける相互インダクタンスＭの計算結果ｂは１１．０ｎＨとなり、層間ずれがない場合の約７５％まで減少する。
これに対し、ノイズフィルタ回路１では、図１１に示したｄが１．０ｍｍであっても、入力ループ線５と出力ループ線９との間の相互インダクタンスＭの計算結果ａは１４．６ｎＨとなり、層間ずれがない場合の約９９．３％に相当する値が維持される。
【００２８】
このように、ノイズフィルタ回路１における結合ループは、従来構造の結合ループよりも層間ずれによる相互インダクタンスＭの変動を抑制可能であることがわかる。
すなわち、ノイズフィルタ回路１では、結合ループに層間ずれが発生しても、誘電体層２の厚み方向から見て入力ループ線５と出力ループ線９とが重なる領域の面積が減少しにくく、相互インダクタンスＭの減少が抑制される。これにより、安定したフィルタ性能を実現することができる。
【００２９】
なお、入力ループ線５および出力ループ線９のそれぞれが、一部が開放された正方形のループ形状を有する場合を示したが、これに限定されるものではない。
入力ループ線５のループ外径を出力ループ線９のループ内径よりも小さく形成し、入力ループ線５を、誘電体層２の厚み方向から見て、誘電体層２のおもて面における、出力ループ線９のループ内側に対応する領域に配置できるループ形状であればよい。
例えば、ループ形状は、一部が開放された円形であってもよい。
【００３０】
これまで、入力ループ線５を、誘電体層２の厚み方向から見て出力ループ線９のループ内側に対応する領域に配置した場合を示したが、実施の形態１は、これに限定されるものではない。例えば、入力ループ線５のループ内径を、出力ループ線９のループ外径よりも大きく形成することで、入力ループ線５を、誘電体層２の厚み方向から見て、出力ループ線９のループ外側に対応する領域に配置してもよい。
このように構成しても、結合ループの層間ずれに起因した相互インダクタンスＭの減少を抑制することができる。
【００３１】
以上のように、実施の形態１に係るノイズフィルタ回路１において、入力ループ線５が誘電体層２の厚み方向から見て出力ループ線９のループ内側または外側に対応する領域に配置される。入力ループ線５および出力ループ線９は、一部が開放された矩形状のループ形状または一部が開放された円形状のループ形状を有する。
このように構成することで、入力ループ線５と出力ループ線９との間に層間ずれが発生しても相互インダクタンスＭの変動が抑制され、安定したフィルタ性能を実現することができる。
【００３２】
実施の形態２．
図１３は、この発明の実施の形態２に係るノイズフィルタ回路１Ａを示す平面図である。図１４は、ノイズフィルタ回路１Ａの裏面側の導体パターンを示す平面透視図であり、裏面側の導体パターンに至るまでのノイズフィルタ回路１Ａの構成要素を透明にした様子を示している。図１５は、ノイズフィルタ回路１Ａの導体パターンの位置関係を示す平面透視図であり、誘電体層２を透明にした様子を示している。
ノイズフィルタ回路１Ａは、誘電体層２と、誘電体層２のおもて面と裏面とに配置された導体パターンと、を含む基板を有し、この基板にチップ型のコンデンサ３が実装されている。
【００３３】
誘電体層２のおもて面には、導電パターンによって、入力線４、入力ループ線５Ａ、コンデンサ接続線６および出力線７が形成され、図１３に示すように、入力線４、入力ループ線５Ａおよびコンデンサ接続線６の順で直列に接続されている。
スルーホール８ａ，８ｂ，８ｃは、誘電体層２の厚み方向に形成されており、誘電体層２のおもて面の導体パターンと、裏面の導体パターンとを電気的に接続している。
誘電体層２の裏面には、図１４および図１５に示すように、導電パターンによって、出力ループ線９Ａおよびグラウンド導体１０が形成されている。
【００３４】
入力ループ線５Ａは、図１３に示すように、一部が開放された長方形のループ形状を有しており、出力ループ線９Ａは、図１４に示すように、一部が開放された長方形のループ形状を有している。
入力ループ線５Ａおよび出力ループ線９Ａは、図１５に示すように、誘電体層２の厚み方向から見て、互いのループ形状の長辺が直交するように配置されている。
なお、図１３、図１４および図１５において、図１、図２および図３と同一の構成要素には同一の符号を付して説明を省略する。また、ノイズフィルタ回路１Ａの等価回路は、図４および図５に示した回路と同じである。
【００３５】
次に、層間ずれが発生した場合における、結合ループ間の相互インダクタンスの変動について説明する。
図１６は、実施の形態２に係るノイズフィルタ回路１Ａにおける結合ループの例を示す部分斜視図である。図１７は、ノイズフィルタ回路１Ａにおける結合ループの例を示す部分平面図である。入力ループ線５Ａおよび出力ループ線９Ａは、理想的な線素（無損失線路）で構成されており、図１６に示すように、入力ループ線５Ａは、Ｚ＝０．８ｍｍの平面に配置され、出力ループ線９Ａは、Ｚ＝０の平面に配置されている。
【００３６】
図１７に示すように、入力ループ線５Ａは、長辺が１３．３ｍｍ、短辺が１１．１ｍｍの長方形のループ形状を有しており、出力ループ線９Ａは、長辺が１３．３ｍｍ、短辺が１１．１ｍｍの長方形のループ形状を有している。
誘電体層２の厚み方向（Ｚ軸方向）から見て、入力ループ線５Ａの長辺は、Ｘ軸方向に平行であり、出力ループ線９Ａの長辺は、Ｙ軸方向に平行になっている。
入力ループ線５Ａの中心と出力ループ線９Ａの中心とのＸＹ座標位置は一致している。すなわち、Ｚ軸方向から見ると、入力ループ線５Ａは、誘電体層２のおもて面において、出力ループ線９Ａを９０度回転させた状態になっている。
【００３７】
入力ループ線５Ａと出力ループ線９Ａとの間の相互インダクタンスＭは、入力ループ線５Ａを流れる電流により発生した磁束のうち、出力ループ線９Ａのループ面を垂直に貫く磁束の量から算出することができる。
入力ループ線５Ａと出力ループ線９Ａとに層間ずれがない場合、相互インダクタンスＭは、１４．７ｎＨとなる。
【００３８】
図１８は、ノイズフィルタ回路１Ａにおける、入力ループ線５Ａと出力ループ線９Ａとの間の層間ずれの例を示す部分平面図であり、図１７に示した入力ループ線５Ａが、層間ずれによってＸ軸方向およびＹ軸方向にそれぞれｄだけ動いた場合を示している。
図１９は、ノイズフィルタ回路１Ａにおける、入力ループ線５Ａと出力ループ線９Ａとの間の層間ずれ量と相互インダクタンスＭの計算結果ｃとの関係を示すグラフである。
図１９において実線で示す相互インダクタンスＭの計算結果ｃは、図１８に示した層間ずれが入力ループ線５Ａに発生したときの計算結果である。
なお、比較のため、図８に示した従来構造における相互インダクタンスＭの計算結果ｂを、破線で示す。
【００３９】
前述したように、図７に示したｄが１．０ｍｍである場合に、従来構造の結合ループにおける相互インダクタンスＭの計算結果ｂは１１．０ｎＨとなり、層間ずれがない場合の約７５％まで減少する。
これに対して、ノイズフィルタ回路１Ａでは、図１８に示したｄが１．０ｍｍであっても、入力ループ線５Ａと出力ループ線９Ａとの間の相互インダクタンスＭの計算結果ｃは１４．６ｎＨとなり、層間ずれがない場合の約９９．３％に相当する値が維持される。
【００４０】
このように、ノイズフィルタ回路１Ａにおける結合ループでは、従来構造の結合ループよりも層間ずれによる相互インダクタンスＭの変動を抑制可能であることがわかる。
すなわち、ノイズフィルタ回路１Ａでは、結合ループに層間ずれが発生しても、誘電体層２の厚み方向から見て入力ループ線５Ａと出力ループ線９Ａとが重なった領域の面積が減少しにくく、相互インダクタンスＭの減少が抑制される。これにより、安定したフィルタ性能を実現することができる。
【００４１】
以上のように、実施の形態２に係るノイズフィルタ回路１Ａにおいて、誘電体層２の厚み方向から見て、入力ループ線５Ａおよび出力ループ線９Ａを、互いのループ形状の長辺が直交するように配置する。このように構成することで、入力ループ線５Ａと出力ループ線９Ａとの間に層間ずれが発生しても相互インダクタンスＭの変動が抑制され、安定したフィルタ性能を実現することができる。
【００４２】
実施の形態３．
図２０は、この発明の実施の形態３に係るノイズフィルタ回路１Ｂを示す平面図である。図２１は、ノイズフィルタ回路１Ｂの裏面側の導体パターンを示す平面透視図であり、裏面側の導体パターンに至るまでのノイズフィルタ回路１Ｂの構成要素を透明にした様子を示している。図２２は、ノイズフィルタ回路１Ｂの導体パターンの位置関係を示す平面透視図であり、誘電体層２を透明にした様子を示している。
ノイズフィルタ回路１Ｂは、誘電体層２と、誘電体層２のおもて面と裏面とに配置された導体パターンとを含む基板を有し、この基板にチップ型のコンデンサ３が実装されている。
【００４３】
誘電体層２のおもて面には、導電パターンによって、正極側入力線１７、正極側入力ループ線１８、正極側コンデンサ接続線１９および正極側出力線２０が形成されている。
誘電体層２のおもて面には、導電パターンによって、負極側入力線２１、負極側入力ループ線２２、負極側コンデンサ接続線２３および負極側出力線２４が形成されている。
図２０に示すように、正極側入力線１７、正極側入力ループ線１８および正極側コンデンサ接続線１９の順で直列に接続され、負極側入力線２１、負極側入力ループ線２２および負極側コンデンサ接続線２３の順で直列に接続されている。
スルーホール２５ａ，２５ｂ，２５ｃ，２５ｄは、誘電体層２の厚み方向に形成されており、誘電体層２のおもて面の導体パターンと裏面の導体パターンとを電気的に接続している。
【００４４】
誘電体層２の裏面には、図２１および図２２に示すように、導体パターンによって、正極側出力ループ線２６および負極側出力ループ線２７が形成されている。
正極側入力線１７は、一方の端部が正極側入力端子１７ａになっており、他方の端部が正極側入力ループ線１８に接続されている。正極側出力線２０は、一方の端部が正極側出力端子２０ａになっている。
負極側入力線２１は、一方の端部が負極側入力端子２１ａになっており、他方の端部が負極側入力ループ線２２に接続されている。負極側出力線２４は、一方の端部が負極側出力端子２４ａになっている。
【００４５】
正極側出力ループ線２６は、一方の端部がスルーホール２５ａによって正極側コンデンサ接続線１９に接続されており、他方の端部がスルーホール２５ｂによって正極側出力線２０の他方の端部に接続されている。すなわち、正極側出力ループ線２６は、正極側コンデンサ接続線１９と正極側出力線２０との間に接続されている。
同様に、負極側出力ループ線２７は、一方の端部がスルーホール２５ｃによって負極側コンデンサ接続線２３に接続されており、他方の端部がスルーホール２５ｄによって負極側出力線２４の他方の端部に接続されている。すなわち、負極側出力ループ線２７は、負極側コンデンサ接続線２３と負極側出力線２４との間に接続されている。
【００４６】
ノイズフィルタ回路１Ｂにおいて、正極側入力線１７、正極側入力ループ線１８、スルーホール２５ａ、正極側出力ループ線２６、スルーホール２５ｂおよび正極側出力線２０が順に接続された経路が、正極側の経路である。
同様に、負極側入力線２１、負極側入力ループ線２２、スルーホール２５ｃ、負極側出力ループ線２７、スルーホール２５ｄおよび負極側出力線２４が順に接続された経路が、負極側の経路である。
【００４７】
コンデンサ３は、一方の端部が正極側コンデンサ接続線１９に接続されており、他方の端部が負極側コンデンサ接続線２３に接続されている。
ノイズフィルタ回路１Ｂは、正極側の経路と負極側の経路との間のシャント経路にコンデンサ３が接続された４端子回路である。
正極側の経路と負極側の経路との間に接続されたコンデンサ３は、一般に、正極側入力端子１７ａと負極側入力端子２１ａに逆相で信号を入力する、いわゆる、ノーマルモードのノイズ（高周波ノイズ）に対するフィルタ回路として機能することが知られている。
【００４８】
正極側入力ループ線１８における、正極側入力線１７から正極側コンデンサ接続線１９に至るまでの巻方向と、正極側出力ループ線２６における、正極側コンデンサ接続線１９から正極側出力線２０に至るまでの巻方向とは同一方向である。
また、負極側入力ループ線２２における、負極側入力線２１から負極側コンデンサ接続線２３に至るまでの巻方向と、負極側出力ループ線２７における、負極側コンデンサ接続線２３から負極側出力線２４に至るまでの巻方向とは同一方向である。
【００４９】
正極側入力ループ線１８および正極側出力ループ線２６は、一部が開放された正方形のループ形状を有しており、正極側入力ループ線１８のループ外径は、正極側出力ループ線２６のループ内径よりも小さい。
さらに、正極側入力ループ線１８は、図２２に示すように、誘電体層２の厚み方向から見て、誘電体層２のおもて面における、正極側出力ループ線２６のループ内側に対応する領域に配置されている。
【００５０】
同様に、負極側入力ループ線２２および負極側出力ループ線２７は、一部が開放された正方形のループ形状を有しており、負極側入力ループ線２２のループ外径は、負極側出力ループ線２７のループ内径よりも小さい。
負極側入力ループ線２２のループ内径は、正極側入力ループ線１８のループ内径と同じであり、負極側出力ループ線２７のループ外径は、正極側出力ループ線２６のループ外径と同じである。
負極側入力ループ線２２は、図２２に示すように、誘電体層２の厚み方向から見て、誘電体層２のおもて面における、負極側出力ループ線２７のループ内側に対応する領域に配置されている。
【００５１】
次に動作について説明する。
図２３は、ノイズフィルタ回路１Ｂを示す等価回路図である。ノイズフィルタ回路１Ｂでは、正極側入力ループ線１８と正極側出力ループ線２６とが磁気結合し、負極側入力ループ線２２と負極側出力ループ線２７とが磁気結合している。これらの磁気結合によって発生する相互インダクタンスをそれぞれＭ／２とし、これらの結合ループ間の磁気結合の方向を考慮すると、ノイズフィルタ回路１Ｂは、図２３に示す等価回路で表すことができる。
【００５２】
図２３に示す等価回路において、正極側コンデンサ接続点２８と負極側コンデンサ接続点２９との間のシャント経路は、ＥＳＬ１１、ＥＳＲ１２および容量１３から構成された直列回路によって表すことができる。
正極側コンデンサ接続点２８は、スルーホール２５ａの配置箇所に相当し、負極側コンデンサ接続点２９は、スルーホール２５ｃの配置箇所に相当する。
また、ＥＳＬ１１は、インダクタンスＬＥＳＬを有する。
【００５３】
図２４は、等価回路変換を施したノイズフィルタ回路１Ｂを示す等価回路図である。
図２４に示す回路は、図２３に示した正極側入力ループ線１８と正極側出力ループ線２６との磁気結合部分に等価回路変換を施し、さらに負極側入力ループ線２２と負極側出力ループ線２７との磁気結合部分に等価回路変換を施したものである。
【００５４】
等価インダクタ１６ａ，１６ｂ，１６ｃ，１６ｄ，１６ｅ，１６ｆは、等価回路変換により追加された等価インダクタである。等価インダクタ１６ａ、等価インダクタ１６ｂ、等価インダクタ１６ｄおよび等価インダクタ１６ｅは、インダクタンスＭ／２を有し、等価インダクタ１６ｃおよび等価インダクタ１６ｆは、インダクタンス−Ｍ／２を有する。
【００５５】
正極側入力ループ線１８と正極側出力ループ線２６との磁気結合部分に等価回路変換を施した回路では、この磁気結合で発生した相互インダクタンスＭ／２を有した等価インダクタ１６ａ，１６ｂが、正極側入力ループ線１８と正極側出力ループ線２６との間に直列接続されている。さらに、この回路では、負の相互インダクタンス−Ｍ／２を有した等価インダクタ１６ｃが、正極側コンデンサ接続点２８から分岐したシャント経路に直列接続されている。
【００５６】
負極側入力ループ線２２と負極側出力ループ線２７との磁気結合部分に等価回路変換を施した回路では、この磁気結合で発生した相互インダクタンスＭ／２を有した等価インダクタ１６ｄ，１６ｅタが、負極側入力ループ線２２と負極側出力ループ線２７との間に直列接続されている。さらに、この回路では、負の相互インダクタンス−Ｍ／２を有した等価インダクタ１６ｆが、負極側コンデンサ接続点２９から分岐したシャント経路に直列接続されている。これにより、正極側コンデンサ接続点２８と負極側コンデンサ接続点２９との間のシャント経路は、ＬＥＳＬ−Ｍのインダクタンスを有する。
【００５７】
ノイズフィルタ回路１Ｂは、シャント経路のインダクタンスが０、すなわちＬＥＳＬ＝Ｍとなるように、正極側入力ループ線１８および正極側出力ループ線２６の磁気結合部分と負極側入力ループ線２２および負極側出力ループ線２７の磁気結合部分が設計される。
これにより、正極側コンデンサ接続点２８と負極側コンデンサ接続点２９との間のシャント経路が本来有するインダクタンスＬＥＳＬがキャンセルされてほぼ零にすることができる。この結果、ＥＳＬ１１の影響によるフィルタ性能の劣化を抑制することができる。
【００５８】
ノイズフィルタ回路１Ｂにおいて、正極側入力ループ線１８は、誘電体層２の厚み方向から見て、誘電体層２のおもて面における、正極側出力ループ線２６のループ内側に対応する領域に配置されている。さらに、負極側入力ループ線２２は、誘電体層２の厚み方向から見て、誘電体層２のおもて面における、負極側出力ループ線２７のループ内側に対応する領域に配置されている。
このように構成されているので、ノイズフィルタ回路１Ｂでは、結合ループに層間ずれが発生しても、誘電体層２の厚み方向から見て正極側入力ループ線１８と正極側出力ループ線２６とが重なった領域の面積が減少しにくい。さらに、結合ループに層間ずれが発生しても、誘電体層２の厚み方向から見て負極側入力ループ線２２と負極側出力ループ線２７とが重なった領域の面積が減少しにくい。
このように相互インダクタンスＭ／２の減少が抑制されるので、安定したフィルタ性能を実現することができる。
【００５９】
これまで、正極側入力ループ線１８および正極側出力ループ線２６と負極側入力ループ線２２および負極側出力ループ線２７を、図２２に示した位置関係で構成する例を示したが、実施の形態３は、この構成に限定されるものではない。
例えば、誘電体層２の厚み方向から見て、正極側入力ループ線１８を、正極側出力ループ線２６のループ外側に対応する領域に配置し、負極側入力ループ線２２を、負極側出力ループ線２７のループ外側に対応する領域に配置してもよい。
このように構成しても、結合ループの層間ずれに起因した相互インダクタンスＭ／２の減少を抑制することができる。
【００６０】
実施の形態３は、さらに別の構成であってもよい。
例えば、正極側の経路で、正極側入力ループ線１８を、誘電体層２の厚み方向から見て正極側出力ループ線２６のループ内側に対応する領域に配置し、負極側の経路で、負極側入力ループ線２２を、誘電体層２の厚み方向から見て負極側出力ループ線２７のループ外側に対応する領域に配置してもよい。
このように構成しても、結合ループの層間ずれに起因した相互インダクタンスの減少を抑制することができる。
【００６１】
また、正極側の経路において、正極側入力ループ線１８を、誘電体層２の厚み方向から見て正極側出力ループ線２６のループ外側に対応する領域に配置し、負極側の経路において、負極側入力ループ線２２を、誘電体層２の厚み方向から見て負極側出力ループ線２７のループ内側に対応する領域に配置してもよい。
このように構成しても、結合ループの層間ずれに起因した相互インダクタンスの減少を抑制することができる。
【００６２】
これまで、正極側入力ループ線１８、正極側出力ループ線２６、負極側入力ループ線２２および負極側出力ループ線２７が、一部が開放された正方形のループ形状である場合を示したが、実施の形態３は、これに限定されるものではない。
図２５は、実施の形態３の変形例であるノイズフィルタ回路１Ｃを示す平面図である。図２６は、ノイズフィルタ回路１Ｃの裏面側の導体パターンを示す平面透視図であって、裏面側の導体パターンに至るまでのノイズフィルタ回路１Ｃの構成要素を透明にした様子を示している。図２７は、ノイズフィルタ回路１Ｃの導体パターンの位置関係を示す平面透視図であり、誘電体層２を透明にした様子を示している。
【００６３】
ノイズフィルタ回路１Ｃにおいて、ノイズフィルタ回路１Ｂにおける正極側入力ループ線１８および正極側出力ループ線２６が、正極側入力ループ線１８Ａおよび正極側出力ループ線２６Ａに置き換えられている。
さらに、ノイズフィルタ回路１Ｃにおいて、ノイズフィルタ回路１Ｂにおける負極側入力ループ線２２および負極側出力ループ線２７が、負極側入力ループ線２２Ａおよび負極側出力ループ線２７Ａに置き換えている。
【００６４】
正極側入力ループ線１８Ａおよび正極側出力ループ線２６Ａは、一部が開放された円形のループ形状を有しており、正極側入力ループ線１８Ａのループ外径は、正極側出力ループ線２６Ａのループ内径よりも小さい。
正極側入力ループ線１８Ａは、図２７に示すように、誘電体層２の厚み方向から見て、誘電体層２のおもて面における、正極側出力ループ線２６Ａのループ内側に対応する領域に配置されている。
【００６５】
同様に、負極側入力ループ線２２Ａおよび負極側出力ループ線２７Ａは、一部が開放された円形のループ形状を有しており、負極側入力ループ線２２Ａのループ外径は、負極側出力ループ線２７Ａのループ内径よりも小さい。
また、負極側入力ループ線２２Ａのループ内径は、正極側入力ループ線１８Ａのループ内径と同じであり、負極側出力ループ線２７Ａのループ外径は、正極側出力ループ線２６Ａのループ外径と同じである。
負極側入力ループ線２２Ａは、図２７に示すように、誘電体層２の厚み方向から見て、誘電体層２のおもて面における、負極側出力ループ線２７Ａのループ内側に対応する領域に配置されている。
【００６６】
ノイズフィルタ回路１Ｃでは、結合ループに層間ずれが発生しても、誘電体層２の厚み方向から見て正極側入力ループ線１８Ａと正極側出力ループ線２６Ａとが重なった領域の面積が減少しにくい。さらに、誘電体層２の厚み方向から見て負極側入力ループ線２２Ａと負極側出力ループ線２７Ａとが重なった領域の面積も減少しにくい。
このように相互インダクタンスＭ／２の減少が抑制されるので、安定したフィルタ性能を実現することができる。
【００６７】
なお、実施の形態３は、図２５、図２６および図２７に示した構成に限定されるものではない。
例えば、正極側入力ループ線１８Ａのループ内径を、正極側出力ループ線２６Ａのループ外径よりも大きくし、負極側入力ループ線２２Ａのループ内径を、負極側出力ループ線２７Ａのループ外径よりも大きくする。
すなわち、正極側入力ループ線１８Ａを、誘電体層２の厚み方向から見て、正極側出力ループ線２６Ａのループ外側に対応する領域に配置し、負極側入力ループ線２２Ａを、誘電体層２の厚み方向から見て、負極側出力ループ線２７Ａのループ外側に対応する領域に配置してもよい。
このように構成しても、結合ループの層間ずれに起因した相互インダクタンスの減少を抑制することができる。
【００６８】
また、正極側の経路において、正極側入力ループ線１８Ａを、誘電体層２の厚み方向から見て正極側出力ループ線２６Ａのループ内側に対応する領域に配置し、負極側の経路において、負極側入力ループ線２２Ａを、誘電体層２の厚み方向から見て負極側出力ループ線２７Ａのループ外側に対応する領域に配置してもよい。
このように構成しても、結合ループの層間ずれに起因した相互インダクタンスの減少を抑制することができる。
【００６９】
さらに、正極側の経路において、正極側入力ループ線１８Ａを、誘電体層２の厚み方向から見て正極側出力ループ線２６Ａのループ外側に対応する領域に配置し、負極側の経路において、負極側入力ループ線２２Ａを、誘電体層２の厚み方向から見て負極側出力ループ線２７Ａのループ内側に対応する領域に配置してもよい。
このように構成しても、結合ループの層間ずれに起因した相互インダクタンスの減少を抑制することができる。
【００７０】
以上のように、実施の形態３に係るノイズフィルタ回路１Ｂにおいて、正極側入力ループ線１８を、誘電体層２の厚み方向から見て正極側出力ループ線２６のループ内側または外側に対応する領域に配置し、負極側入力ループ線２２を、誘電体層２の厚み方向から見て負極側出力ループ線２７のループ内側に対応する領域に配置する。
正極側入力ループ線１８と正極側出力ループ線２６、および負極側入力ループ線２２と負極側出力ループ線２７のそれぞれは、一部が開放された矩形状のループ形状を有する。
このように構成することで、正極側入力ループ線１８と正極側出力ループ線２６との間に層間ずれが発生しても、相互インダクタンスＭ／２の変動が抑制される。
また、負極側入力ループ線２２と負極側出力ループ線２７との間に層間ずれが発生しても、相互インダクタンスＭ／２の変動が抑制される。
これにより、安定したフィルタ性能を実現することができる。
なお、ノイズフィルタ回路１Ｃにおいても、上記と同様の効果が得られる。
【００７１】
実施の形態４．
図２８は、この発明の実施の形態４に係るノイズフィルタ回路１Ｄを示す平面図である。図２９は、ノイズフィルタ回路１Ｄの裏面側の導体パターンを示す平面透視図であり、裏面側の導体パターンに至るまでのノイズフィルタ回路１Ｄの構成要素を透明にした様子を示している。図３０は、ノイズフィルタ回路１Ｄの導体パターンの位置関係を示す平面透視図であり、誘電体層２を透明にした様子を示している。
ノイズフィルタ回路１Ｄは、誘電体層２と、誘電体層２のおもて面と裏面とに配置された導体パターンとを含む基板を有し、この基板にチップ型のコンデンサ３が実装されている。
【００７２】
誘電体層２のおもて面には、導電パターンによって、正極側入力線１７、正極側入力ループ線１８Ｂ、正極側コンデンサ接続線１９および正極側出力線２０が形成されている。さらに、誘電体層２のおもて面には、導電パターンによって、負極側入力線２１、負極側入力ループ線２２Ｂ、負極側コンデンサ接続線２３および負極側出力線２４が形成されている。
【００７３】
図２８に示すように、正極側入力線１７、正極側入力ループ線１８Ｂおよび正極側コンデンサ接続線１９の順で直列に接続され、負極側入力線２１、負極側入力ループ線２２Ｂおよび負極側コンデンサ接続線２３の順で直列に接続されている。
誘電体層２の裏面には、図２９および図３０に示すように、正極側出力ループ線２６Ｂと負極側出力ループ線２７Ｂとが導体パターンによって形成されている。
【００７４】
正極側入力ループ線１８Ｂは、図２８に示すように、一部が開放された長方形のループ形状を有し、正極側出力ループ線２６Ｂは、図２９に示すように、一部が開放された長方形のループ形状を有している。
同様に、負極側入力ループ線２２Ｂは、図２８に示すように、一部が開放された長方形のループ形状を有しており、負極側出力ループ線２７Ｂは、図２９に示すように、一部が開放された長方形のループ形状を有している。
【００７５】
正極側入力ループ線１８Ｂおよび正極側出力ループ線２６Ｂは、図３０に示すように、誘電体層２の厚み方向から見て、互いのループ形状の長辺が直交するように配置されている。同様に、負極側入力ループ線２２Ｂおよび負極側出力ループ線２７Ｂは、誘電体層２の厚み方向から見て、互いのループ形状の長辺が直交するように配置されている。
なお、図２８、図２９および図３０において、図２０、図２１および図２２と同一の構成要素には同一の符号を付して説明を省略する。
【００７６】
ノイズフィルタ回路１Ｄの等価回路は、実施の形態３において、図２３および図２４に示した回路と同じである。ノイズフィルタ回路１Ｄでは、シャント経路のインダクタンスが０になるように、正極側入力ループ線１８Ｂと正極側出力ループ線２６Ｂとの磁気結合部分が設計され、負極側入力ループ線２２Ｂと負極側出力ループ線２７Ｂとの磁気結合部分が設計される。
このように磁気結合部分を設計することで、正極側コンデンサ接続点２８と負極側コンデンサ接続点２９との間のシャント経路が本来有するインダクタンスＬＥＳＬがキャンセルされてほぼ零にすることができる。これにより、ＥＳＬ１１の影響によるフィルタ性能の劣化を抑制することができる。
【００７７】
また、誘電体層２の厚み方向から見て、正極側入力ループ線１８Ｂは、誘電体層２のおもて面において、正極側出力ループ線２６Ｂを９０度回転させた状態になっている。
同様に、誘電体層２の厚み方向から見て、負極側入力ループ線２２Ｂは、誘電体層２のおもて面において、負極側出力ループ線２７Ｂを９０度回転させた状態になっている。
このように構成されているので、ノイズフィルタ回路１Ｄでは、結合ループに層間ずれが発生しても、誘電体層２の厚み方向から見て正極側入力ループ線１８Ｂと正極側出力ループ線２６Ｂとが重なった領域の面積が減少しにくい。
同様に、ノイズフィルタ回路１Ｄでは、結合ループに層間ずれが発生しても、誘電体層２の厚み方向から見て負極側入力ループ線２２Ｂと負極側出力ループ線２７Ｂとが重なった領域の面積が減少しにくい。
これにより、結合ループの層間ずれに起因した相互インダクタンスの減少が抑制されるので、安定したフィルタ性能を実現することができる。
【００７８】
以上のように、実施の形態４に係るノイズフィルタ回路１Ｄにおいて、誘電体層２の厚み方向から見て、正極側入力ループ線１８Ｂおよび正極側出力ループ線２６Ｂを、互いのループ形状の長辺が直交するように配置する。さらに、誘電体層２の厚み方向から見て、負極側入力ループ線２２Ｂおよび負極側出力ループ線２７Ｂを、互いのループ形状の長辺が直交するように配置する。
このように構成することで、正極側入力ループ線１８Ｂと正極側出力ループ線２６Ｂとの間の層間ずれが発生しても、相互インダクタンスの変動が抑制され、安定したフィルタ性能を実現することができる。さらに、負極側入力ループ線２２Ｂと負極側出力ループ線２７Ｂとの間の層間ずれが発生しても、相互インダクタンスの変動が抑制され、安定したフィルタ性能を実現することができる。
【００７９】
また、下記のように、実施の形態３の構成と実施の形態４の構成とを組み合わせた構成を変形例としてもよい。下記のように構成しても、結合ループの層間ずれに起因した結合ループの相互インダクタンスの変動が抑制され、安定したフィルタ性能を実現することができる。
【００８０】
例えば、正極側入力ループ線１８および正極側出力ループ線２６を、一部が開放された矩形状のループ形状または一部が開放された円形状のループ形状とし、負極側入力ループ線２２および負極側出力ループ線２７を、一部が開放された長方形のループ形状とする。
正極側の経路において、正極側入力ループ線１８を、誘電体層２の厚み方向から見て、正極側出力ループ線２６のループ内側に対応する領域に配置し、負極側の経路において、負極側入力ループ線２２Ｂおよび負極側出力ループ線２７Ｂを、誘電体層２の厚み方向から見て、互いのループ形状の長辺が直交するよう配置してもよい。
【００８１】
例えば、正極側入力ループ線１８および正極側出力ループ線２６を、一部が開放された矩形状のループ形状または一部が開放された円形状のループ形状とし、負極側入力ループ線２２および負極側出力ループ線２７を、一部が開放された長方形のループ形状とする。
正極側の経路において、正極側入力ループ線１８を、誘電体層２の厚み方向から見て、正極側出力ループ線２６のループ外側に対応する領域に配置し、負極側の経路において、負極側入力ループ線２２Ｂおよび負極側出力ループ線２７Ｂを、誘電体層２の厚み方向から見て、互いのループ形状の長辺が直交するよう配置してもよい。
【００８２】
例えば、正極側入力ループ線１８および正極側出力ループ線２６を、一部が開放された長方形のループ形状とし、負極側入力ループ線２２および負極側出力ループ線２７を、一部が開放された矩形状のループ形状または一部が開放された円形状のループ形状とする。
正極側の経路において、正極側入力ループ線１８および正極側出力ループ線２６を、誘電体層２の厚み方向から見て互いのループ形状の長辺が直交するように配置し、負極側の経路において、負極側入力ループ線２２を、誘電体層２の厚み方向から見て、負極側出力ループ線２７のループ内側に対応する領域に配置してもよい。
【００８３】
例えば、正極側入力ループ線１８および正極側出力ループ線２６を、一部が開放された長方形のループ形状とし、負極側入力ループ線２２および負極側出力ループ線２７を、一部が開放された矩形状のループ形状または一部が開放された円形状のループ形状とする。
正極側の経路において、正極側入力ループ線１８および正極側出力ループ線２６を、誘電体層２の厚み方向から見て互いのループ形状の長辺が直交するように配置し、負極側の経路において、負極側入力ループ線２２を、誘電体層２の厚み方向から見て、負極側出力ループ線２７のループ外側に対応する領域に配置してもよい。
【００８４】
なお、本発明は上記実施の形態に限定されるものではなく、本発明の範囲内において、実施の形態のそれぞれの自由な組み合わせまたは実施の形態のそれぞれの任意の構成要素の変形もしくは実施の形態のそれぞれにおいて任意の構成要素の省略が可能である。
【産業上の利用可能性】
【００８５】
この発明に係るノイズフィルタ回路は、結合ループの層間ずれに起因した相互インダクタンスの変動が抑制されて、安定したフィルタ性能を実現することができるので、様々な無線通信装置に利用することができる。
【符号の説明】
【００８６】
１，１Ａ〜１Ｄ  ノイズフィルタ回路、２  誘電体層、３  コンデンサ、４  入力線、４ａ  入力端子、５，５'，５Ａ  入力ループ線、６  コンデンサ接続線、７  出力線、７ａ  出力端子、８ａ〜８ｃ，２５ａ〜２５ｄ  スルーホール、９，９'，９Ａ  出力ループ線、１０  グラウンド導体、１３  容量、１４  グラウンド、１５  コンデンサ接続点、１６ａ〜１６ｆ  等価インダクタ、１７  正極側入力線、１７ａ  正極側入力端子、１８，１８Ａ，１８Ｂ  正極側入力ループ線、１９  正極側コンデンサ接続線、２０  正極側出力線、２０ａ  正極側出力端子、２１  負極側入力線、２１ａ  負極側入力端子、２２，２２Ａ，２２Ｂ  負極側入力ループ線、２３  負極側コンデンサ接続線、２４  負極側出力線、２４ａ  負極側出力端子、２６，２６Ａ，２６Ｂ  正極側出力ループ線、２７，２７Ａ，２７Ｂ  負極側出力ループ線、２８  正極側コンデンサ接続点、２９  負極側コンデンサ接続点。
【図１】
2019053779.tif 000003
【図２】
2019053779.tif 000004
【図３】
2019053779.tif 000005
【図４】
2019053779.tif 000006
【図５】
2019053779.tif 000007
【図６】
2019053779.tif 000008
【図７】
2019053779.tif 000009
【図８】
2019053779.tif 000010
【図９】
2019053779.tif 000011
【図１０】
2019053779.tif 000012
【図１１】
2019053779.tif 000013
【図１２】
2019053779.tif 000014
【図１３】
2019053779.tif 000015
【図１４】
2019053779.tif 000016
【図１５】
2019053779.tif 000017
【図１６】
2019053779.tif 000018
【図１７】
2019053779.tif 000019
【図１８】
2019053779.tif 000020
【図１９】
2019053779.tif 000021
【図２０】
2019053779.tif 000022
【図２１】
2019053779.tif 000023
【図２２】
2019053779.tif 000024
【図２３】
2019053779.tif 000025
【図２４】
2019053779.tif 000026
【図２５】
2019053779.tif 000027
【図２６】
2019053779.tif 000028
【図２７】
2019053779.tif 000029
【図２８】
2019053779.tif 000030
【図２９】
2019053779.tif 000031
【図３０】
2019053779.tif 000032
【国際調査報告】
2019053779.tif 000033
2019053779.tif 000034
2019053779.tif 000035
2019053779.tif 000036